(57)【特許請求の範囲】
【請求項１】
被写体光束を透過屈折し被写体光学像を結像する撮像光学系を保持収納する撮像レンズ鏡胴と、
前記撮像レンズ鏡胴を支持し、且つ前記撮像光学系を通った光束を導く開口部を有するベース部材と、
前記撮像光学系により結像される被写体光学像を光電変換する撮像素子と、
前記撮像素子の被写体側に配置される光学素子と、
前記ベース部材に支持され、且つ前記撮像素子および前記光学素子を保持する保持部材と、
前記ベース部材と前記保持部材との間を密閉する防塵部材と、
前記撮像レンズ鏡胴の駆動系および前記撮像素子に接続される電気的回路の少なくとも一部を形成するフレキシブル基板と
を備えてなり、
前記フレキシブル基板が、前記ベース部材の前記開口部の撮像素子側の面にほぼ沿い且つ該フレキシブル基板の少なくとも一部が前記防塵部材と光軸方向に重なり合って配置され、
前記防塵部材は、前記フレキシブル基板の被写体側で且つ前記ベース部材の開口部と前記フレキシブル基板との間に配置されていることを特徴とする撮像装置。
【請求項２】
前記防塵部材は、フランジ部および屈曲部を有してなり、前記フランジ部が前記ベース部材に当接し、且つ前記屈曲部が前記保持部材に当接していることを特徴とする請求項１に記載の撮像装置。
【請求項３】
被写体光束を透過屈折し被写体光学像を結像する撮像光学系を保持収納する撮像レンズ鏡胴と、
前記撮像レンズ鏡胴を支持し、且つ前記撮像光学系を通った光束を導く開口部を有するベース部材と、
前記撮像光学系により結像される被写体光学像を光電変換する撮像素子と、
前記撮像素子の被写体側に配置される光学素子と、
前記ベース部材に支持され、且つ前記撮像素子および前記光学素子を保持する保持部材と、
前記ベース部材と前記保持部材との間を密閉する防塵部材と、
前記撮像レンズ鏡胴の駆動系および前記撮像素子に接続される電気的回路の少なくとも一部を形成するフレキシブル基板と
を備えてなり、
前記フレキシブル基板が、前記ベース部材の前記開口部の撮像素子側の面にほぼ沿い且つ該フレキシブル基板の少なくとも一部が前記防塵部材と光軸方向に重なり合って配置され、
前記防塵部材は、フランジ部および屈曲部を有してなり、前記フランジ部が前記ベース部材に当接し、且つ前記屈曲部が前記保持部材に当接していることを特徴とする撮像装置。
【請求項４】
前記ベース部材には、前記防塵部材が当接する面に複数の溝が設けられており、これらの溝に前記防塵部材の前記フランジ部に設けられたリブ部が嵌まり込む構成としたことを特徴とする請求項２または請求項３に記載の撮像装置。
【請求項５】
前記フレキシブル基板は、その少なくとも一部が前記ベース部材の前記開口部周縁の一部に沿って前記光束を取り囲むように配置されていることを特徴とする請求項１〜請求項４のいずれか１項に記載の撮像装置。
【発明の詳細な説明】
【技術分野】
【０００１】
本発明は、撮像素子を用いてスティル画像およびムービー映像等を撮像する、いわゆるデジタルカメラおよびデジタルビデオカメラ等に好適な撮像装置における防塵構造に関するものである。
【背景技術】
【０００２】
撮像素子を用いてスティル画像およびムービー映像等を撮像する、いわゆるデジタルカメラおよびデジタルビデオカメラ等の撮像装置において、撮像光学系と、撮像光学系を透過した被写体光束を受光して光電変換する撮像素子との間を密閉する防塵部材を備える撮像装置が既に知られている。この種の撮像装置は、例えば、特許文献１（特開２００８−１９３５７４号）等に示されている。
特許文献１（特開２００８−１９３５７４号）には、光学フィルタと撮像素子との間を確実に密閉構造にするために、防塵ゴムに撮影光軸中心に向けて伸びる押圧部を設け、この押圧部に撮像素子のパッケージの外周角部あるいは撮像素子のカバーガラスの外周角部を当接させて、光学フィルタと撮像素子との間を確実に密閉構造にするする構成が開示されている。
しかしながら、従来の撮像装置においては、撮像素子の被写体側に配置される光学素子と撮像素子との間を密閉するにとどまり、撮像光学系を保持収納する撮像レンズ鏡胴を支持するベース部材と撮像素子との間を密閉することはできていなかった。
【０００３】
すなわち、具体的には、ベース部材には、撮像レンズ鏡胴内部に配設された駆動系のモータ等の電気的要素に通電するためのフレキシブル基板を通すための通孔や、あるいはその他の設計上必要な通孔等の開口があり、光学素子と撮像素子との間を密閉しただけでは鏡胴内部に塵埃が侵入してしまうおそれがある。また、ベース部材と撮像素子あるいは光学素子との間を密閉する防塵部材を設けることも考えられるが、その場合には防塵部材のサイズが大きくなるため、撮像レンズ鏡胴の駆動系および撮像素子に接続されて当該撮像装置を作動させるための電気的回路の少なくとも一部を形成するフレキシブル基板を配置するためのスペースが不足してしまう。
例えば、上述した特許文献１に開示された構成によって撮像素子を密閉することはできるとしても、撮像光学系を支持するベース部材に設けられた開口からゴミが侵入してしまうという問題を解消することはできない。
【発明の概要】
【発明が解決しようとする課題】
【０００４】
上述したように、従来の撮像装置では、たとえ防塵構造を備えているとしても、撮像素子とその被写体側に配置される光学素子との間を密閉する程度であり、撮像レンズ鏡胴を支持するベース部材と撮像素子との間は、密閉されていなかった。ベース部材には、撮像レンズ鏡胴内部に配設された駆動系のモータ等の電気的要素に通電するためのフレキシブル基板を通すための通孔や、あるいはその他の設計上必要な通孔等の開口があるため、光学素子と撮像素子との間を密閉しただけでは撮像レンズ鏡胴内部に塵埃が侵入してしまうおそれがある。また、ベースと撮像素子あるいは光学素子との間をも防塵部材により密閉しようとすれば、防塵部材のサイズが大きくなり、当該撮像装置を作動させるために撮像レンズ鏡胴の駆動系および撮像素子に接続される電気的回路の少なくとも一部を形成するフレキシブル基板を配置するためのスペースが足りなくなってしまう。
本発明は、上述した事情に鑑みてなされたもので、撮像光学系と、撮像光学系により結像される被写体光学像を光電変換する撮像素子との間を防塵部材により密閉するとともに、撮像光学系を保持収納する撮像レンズ鏡胴を支持するベース部材と撮像素子との間を確実に密閉して、しかも省スペース化を達成することを可能とする撮像装置を提供することを目的としている。
【課題を解決するための手段】
【０００５】
請求項１に記載の発明に係る撮像装置は、上述した目的を達成するために、
被写体光束を透過屈折し被写体光学像を結像する撮像光学系を保持収納する撮像レンズ鏡胴と、
前記撮像レンズ鏡胴を支持し、且つ前記撮像光学系を通った光束を導く開口部を有するベース部材と、
前記撮像光学系により結像される被写体光学像を光電変換する撮像素子と、
前記撮像素子の被写体側に配置される光学素子と、
前記ベース部材に支持され、且つ前記撮像素子および前記光学素子を保持する保持部材と、
前記ベース部材と前記保持部材との間を密閉する防塵部材と、
前記撮像レンズ鏡胴の駆動系および前記撮像素子に接続される電気的回路の少なくとも一部を形成するフレキシブル基板と
を備えてなり、
前記フレキシブル基板が、前記ベース部材の前記開口部の撮像素子側の面にほぼ沿い且つ該フレキシブル基板の少なくとも一部が前記防塵部材と光軸方向に重なり合って配置され、
前記防塵部材は、前記フレキシブル基板の被写体側で且つ前記ベース部材の開口部と前記フレキシブル基板との間に配置されていることを特徴としている。
【発明の効果】
【０００６】
本発明によれば、撮像光学系と、撮像光学系により結像される被写体光学像を光電変換する撮像素子との間を防塵部材により密閉するとともに、撮像光学系を支持するベース部材と撮像素子との間を確実に密閉して、しかも省スペース化を達成することが可能な撮像装置を提供することができる。
【０００７】
すなわち、請求項１に記載の本発明に係る撮像装置によれば、
被写体光束を透過屈折し被写体光学像を結像する撮像光学系を保持収納する撮像レンズ鏡胴と、
前記撮像レンズ鏡胴を支持し、且つ前記撮像光学系を通った光束を導く開口部を有するベース部材と、
前記撮像光学系により結像される被写体光学像を光電変換する撮像素子と、
前記撮像素子の被写体側に配置される光学素子と、
前記ベース部材に支持され、且つ前記撮像素子および前記光学素子を保持する保持部材と、
前記ベース部材と前記保持部材との間を密閉する防塵部材と、
前記撮像レンズ鏡胴の駆動系および前記撮像素子に接続される電気的回路の少なくとも一部を形成するフレキシブル基板と
を備えてなり、
前記フレキシブル基板が、前記ベース部材の前記開口部の撮像素子側の面にほぼ沿い且つ該フレキシブル基板の少なくとも一部が前記防塵部材と光軸方向に重なり合って配置され、
前記防塵部材は、前記フレキシブル基板の被写体側で且つ前記ベース部材の開口部と前記フレキシブル基板との間に配置されることにより、
フレキシブル基板を避けて防塵部材を配置する必要なしに、ベース部材と保持部材との間を密閉して鏡胴内へのゴミ侵入を確実に防止して、撮像光学系を保持収納する撮像レンズ鏡胴と、撮像光学系により結像される被写体光学像を光電変換する撮像素子との間を防塵部材により密閉するとともに、撮像レンズ鏡胴を支持するベース部材と撮像素子との間を確実に密閉し、且つ防塵部材を脱落しないように保持可能で、しかも省スペース化を達成することができる。
【図面の簡単な説明】
【０００８】
【図１】本発明の一つの実施の形態に係る撮像装置における撮像光学系の広角側状態におけるレンズ鏡胴、撮像素子およびそれらの周辺部分の要部の構成を示す縦断面図である。
【図２】図１のレンズ鏡胴におけるベース部材周りの形状構成を示しており、（ａ）は被写体側（物体側）から見た斜視図、そして（ｂ）は撮像素子側（像面側）から見た斜視図である。
【図３】図２に示したベース部材周りの組み立て構成を示す分解斜視図である。
【図４】図２および図３に示したベース部材周りの構成における防塵部材のより詳細な形状構成を示す斜視図である。
【図５】図４に示した防塵部材と図２および図３に示したベース部材周りの構成におけるフレキシブル基板との組み立て状態における配置関係を説明するための被写体側から見た正面図である。
【発明を実施するための形態】
【０００９】
以下、図面を参照して本発明の実施の形態に基づき、本発明に係る撮像装置について詳細に説明する。
図１〜図５は、本発明の一つの実施の形態に係る例えばデジタルカメラ等の撮像装置の要部の構成を示している。
図１は、本発明の一つの実施の形態に係る撮像装置における撮像光学系の広角側状態におけるレンズ鏡胴、撮像素子およびそれらの周辺部分の要部の構成を示す縦断面図である。図２は、図１のレンズ鏡胴におけるベース部材周りの形状構成を示しており、（ａ）は被写体側（物体側）から見た斜視図、そして（ｂ）は撮像素子側（像面側）から見た斜視図である。また、図３は、図２に示したベース部材周りの組み立て構成を示す分解斜視図、図４は、図２および図３に示したベース部材周りの構成における防塵部材のより詳細な形状構成を示す斜視図、そして、図５は、図４に示した防塵部材と図２および図３に示したベース部材周りの構成におけるフレキシブル基板との組み立て状態における配置関係を説明するための被写体側から見た正面図である。
【００１０】
図１〜図５に示す撮像装置は、図示のように主として、第１レンズ群１１、第２レンズ群１２、第３レンズ群１３、第４レンズ群１４、第５レンズ群１５、シャッタ／絞りユニット１６、撮像素子１７、ローパスフィルタ等の光学素子１８、直進筒２１、第２レンズ保持枠２２、第３レンズ保持枠２３、第４レンズ保持枠２４、第５レンズ保持枠２５、固定枠３１、第１の回転筒３２、第２の回転筒３３、直進ライナー３４、ベース部材３５、保持部材４１、防塵部材４２、シール部材４３、フォーカスモータ５１、フレキシブル基板５２、ズームモータ５３、ギアボックス５４、ズームモータフレキシブル基板５５および鏡胴駆動フレキシブル基板５６を具備している。
これらのうち、第１レンズ群１１、第２レンズ群１２、第３レンズ群１３、第４レンズ群１４、第５レンズ群１５、シャッタ／絞りユニット１６およびローパスフィルタ等の光学素子１８は、撮像光学系を構成し、さらに、第１レンズ群１１、第２レンズ群１２、第３レンズ群１３、第４レンズ群１４、第５レンズ群１５、シャッタ／絞りユニット１６、ローパスフィルタ等の光学素子１８、直進筒２１、第２レンズ保持枠２２、第３レンズ保持枠２３、第４レンズ保持枠２４、第５レンズ保持枠２５、固定枠３１、第１の回転筒３２、第２の回転筒３３、直進ライナー３４およびベース部材３５は、撮像光学系を作動させ、且つ保持収納する撮像レンズ鏡胴を構成している。
【００１１】
固定枠３１およびベース部材３５は、明確には図示していないボディ筐体に固定されており、撮像レンズ鏡胴全体を支持している。保持部材４１は、撮像素子１７を保持し、ベース部材３５に固定されている。フォーカスモータ５１および鏡胴駆動フレキシブル基板５６は、撮像レンズ鏡胴内に配設されている。ズームモータ５３、ギアボックス５４およびズームモータフレキシブル基板５５は、ベース部材３５に設けられている。
図１に示すように、物体側から順次、第１レンズ群１１、第２レンズ群１２、第３レンズ群１３、第４レンズ群１４および第５レンズ群１５が配列され、第３レンズ群１３と第４レンズ群１４の間にシャッタ／絞りユニット１６が配置されており、第５レンズ群１５の像面側には、ＣＭＯＳ（相補型金属酸化物半導体）またはＣＣＤ（電荷結合素子）等を用いて固体イメージセンサとして構成される撮像素子１７が配置される。第１レンズ群１１〜第５レンズ群１５からなる撮像光学系は、焦点距離可変のズームレンズを構成している。
第１レンズ群１１は、１枚以上のレンズからなり、この第１レンズ群１１は、レンズ保持枠部（明確には図示していない）を介して直進筒２１に一体的に保持されている。直進筒２１には、外周面に突出してカムフォロワ２１ａを設けており、このカムフォロワ２１ａは、第２の回転筒３３の内周面に溝状の凹部として形成されたカム溝に係合している。
【００１２】
第２レンズ群１２は、１枚以上のレンズからなり、第２レンズ保持枠２２に一体的に保持されている。第２レンズ保持枠２２には、基端側（像面側端部）の外周に突出してカムフォロワ２２ａを設けており、このカムフォロワ２２ａは、直進ライナー３４の貫通溝からなる直進キー溝に貫通して係合するとともに、その先端が第１の回転筒３２の内周面に溝状の凹部として形成されたカム溝にさらに係合している。
第３レンズ群１３は、１枚以上のレンズからなり、第３レンズ保持枠２３に一体的に保持されている。第３レンズ保持枠２３は、第２レンズ保持枠２２に固定されたフォーカスモータ５１のリードスクリュー５１ａにナット機構あるいはラック機構により係合して支持されており、光軸に沿う方向について、第２レンズ保持枠２２とほぼ一体的に動作するとともに、焦点調節時には、フォーカスモータ５１の回転によって、光軸に沿う方向に、第２レンズ保持枠２２に対して相対的に駆動される。
第４レンズ群１４は、１枚以上のレンズからなり、第４レンズ保持枠２４に一体的に保持されている。さらに、第４レンズ保持枠２４は、その先端側（被写体側）にシャッタ／絞りユニット１６を一体的に保持している。また、第４レンズ保持枠２４には、その基端側（像面側端部）の外周に突出してカムフォロワ２４ａを設けており、このカムフォロワ２４ａは、直進ライナー３４の貫通溝からなる直進キー溝に貫通して係合するとともに、その先端が第１の回転筒３２の内周面に溝状の凹部として形成されたカム溝にさらに係合している。
【００１３】
そして、第５レンズ群１５は、１枚以上のレンズからなり、第５レンズ保持枠２５に一体的に保持されている。第５レンズ保持枠２５には、その基端側（像面側端部）の外周に突出してカムフォロワ２５ａを設けており、直進ライナー３４の貫通溝からなる直進キー溝に貫通して係合するとともに、その先端が第１の回転筒３２の内周面に溝状の凹部として形成されたカム溝にさらに係合している。
固定枠３１の内周面には、ヘリコイド３１ａが形成されており、このヘリコイド３１ａには、第２の回転筒３３の基端部外周面に形成されたヘリコイド３３ａが係合している。
第１の回転筒３２は、直進ライナー３４の物体側先端部（被写体側端部）の外周に突出して設けられているキー部３４ａとベース部材３５とで軸方向に狭持されており、基端部（像面側端部）の外周面にはギア部３２ａが形成されている。
第２の回転筒３３は、上述のように基端部（像面側端部）外周面のヘリコイド３３ａが固定枠３１の内周面のヘリコイド３１ａに係合（螺合：ねじ結合）するとともに、該第２の回転筒３３の基端部（像面側端部）の内周面に突出して設けられた駆動ピン３３ｂが、第１の回転筒３２の外周面に溝状の凹部として形成された直進溝に係合している。したがって、第２の回転筒３３は、第１の回転筒３２の回転に伴い、駆動ピン３３ｂによって回転が伝達されて回転し、ヘリコイド３１ａおよび３３ａによって光軸方向に進退移動する。
【００１４】
直進ライナー３４は、キー部３４ａが直進筒２１の内周面に溝状の凹部として形成された直進溝（明確には図示していない）に係合するとともに、貫通する直進溝が設けられており、この直進溝に各レンズ保持枠のカムフォロワ２２ａ、２４ａおよび２６ａが係合することによって、各レンズ群の回転動作を規制している。
以上のような構成によって、後述するズームモータ５３（図２（ａ）参照）の回転駆動力がギアボックス５４の適宜なるギアを介して第１の回転筒３２のギア部３２ａに伝達されて、第１の回転筒３２を回動し、それによって第１レンズ群１１、第２レンズ群１２、第３レンズ群１３、第４レンズ群１４および第５レンズ群１５が所定のごとく移動してズーミング動作を実現する。
保持部材４１は、撮像素子１７とローパスフィルタ等の光学素子１８を保持しており、ベース部材３５に支持されている。また、シール部材４３によって、撮像素子１７と光学素子１８との間が密閉されている。防塵部材４２はベース部材３５に配置されており、ベース部材３５と保持部材４１との間を密閉している。また、フレキシブル基板５２は、撮像レンズ鏡胴および撮像素子１７に接続される電気的回路の少なくとも一部を形成している。
【００１５】
次に、上述した本発明に係る撮像装置におけるベース部材３５の周辺の構成についてさらに詳細に説明する。
図２および図３に示すように、ベース部材３５には、光軸をほぼ中心とする開口部３５ａが設けられており、光軸に沿って撮像光学系を通過した被写体光束が、この開口部３５ａを通って導かれ、撮像素子１７の受光面（入力面）上に被写体光学像を結像する。ベース部材３５には、撮像素子１７側、すなわち像面側から、開口部３５ａに嵌入するようにして、順次、保持部材４１、フレキシブル基板５２および防塵部材４２が組み込まれる。
さらに、ベース部材３５には、撮像レンズ鏡胴内の撮像光学系の各レンズ群をズーミング動作させるためのズームモータ５３およびその回転出力を変速伝達するためのギアボックス５４が取り付けられている。ズームモータ５３には、ズームモータ５３に通電するためのズームモータフレキシブル基板５５が接続されている。
また、撮像レンズ鏡胴内部のシャッタ／絞りユニット１６およびフォーカスモータ５１に通電して、これらを作動させるための鏡胴駆動フレキシブル基板５６も設けられており、この鏡胴駆動フレキシブル基板５６は、ベース部材３５の開口部３５ａに形成された切り欠き３５ｂを通ってベース部材３５の撮像素子１７側の面に引き出されている。
【００１６】
ズームモータフレキシブル基板５５および鏡胴駆動フレキシブル基板５６は、いずれもフレキシブル基板５２に接続されている。フレキシブル基板５２は、撮像装置の本体ボディ筐体内に収納されたメイン基板（図示されていない）に接続されており、メイン基板側からフレキシブル基板５２を通して、ズームモータフレキシブル基板５５および鏡胴駆動フレキシブル基板５６に通電されることなどによって、各種動作を行わせる。
次に、防塵部材４２の詳細を図４を参照して説明する。
図４に示すように、防塵部材４２は、光軸をほぼ中心としてその周りに広がる開口を有しており、この開口の周縁に屈曲部４２ａが形成されている。屈曲部４２ａから外周に連続して延びるフランジ部４２ｂが屈曲部４２ａの全周にわたって形成されるとともに、該フランジ部４２ｂの適宜箇所に、すじ状に突出するリブ部４２ｃおよび４２ｄが形成されている。
このように形成した防塵部材４２は、屈曲部４２ａがベース部材３５の開口部３５ａに嵌まり込み、開口部３５ａからベース部材３５の被写体側（物体側）に露出するように組み込まれ、フランジ部４２ｂがベース部材３５の像面側（撮像素子側）の面に当接する。ベース部材３５の像面側（撮像素子側）の面の開口部３５ａの周囲には、溝状の凹部をすじ状に形成してなるリブ溝３５ｃが、防塵部材４２のリブ部４２ｃの形状に対応して設けられており、リブ部４２ｃがリブ溝３５ｃに嵌まり込むことによって、防塵部材４２のフランジ部４２ｂがベース部材３５から脱落してしまうことを防止するようにしている（図１も参照されたい）。
【００１７】
防塵部材４２の屈曲部４２ａは、保持部材４１の前面、すなわち被写体側の面、に当接して配置され、フランジ部４２ｂがベース部材３５の開口部３５ａの周縁の像面側（撮像素子側）の面に当接することによって、撮像レンズ鏡胴を支持するベース部材３５と、撮像素子１７および光学素子１８を保持する保持部材４１との間を密閉している。また、防塵部材４２のリブ部４２ｄは、開口部３５ａの切り欠き部３５ｂに対応して形成されており、上述した組み込み状態で、防塵部材４２のリブ部４２ｄが、開口部３５ａの切り欠き部３５ｂを塞いで、ベース部材３５の開口部３５ａの周囲を完全に密閉して、撮像レンズ鏡胴の内部への塵埃の侵入を防止するようにしている。そして、図１に示しているように、撮像素子１７と光学素子１８との間はシール部材４３で密閉している。
このようにして、撮像光学系を保持収納する撮像レンズ鏡胴から撮像素子１７に至るまでの防塵を防塵部材４２とシール部材４３により達成している。
なお、フレキシブル基板５２は、ベース部材３５の開口部３５ａの撮像素子側の面に両面テープまたは接着剤等を用いて接着固定する。
【００１８】
図５に示すように、フレキシブル基板５２は、防塵部材４２の開口の周囲の少なくとも一部と光軸方向に重なり合うように配置形成されており、ベース部材３５に固定されることによって、防塵部材４２のフランジ部４２ｂがベース部材３５とフレキシブル基板５２とで狭時されて防塵部材４２が撮像素子側に脱落することをも防止している（図１も参照されたい）。
そして、上述したように、防塵部材４２のリブ部４２ｃがベース部材３５のリブ溝３５ｃに嵌まり込むことと相俟って、防塵部材４２は確実にベース部材３５に組み込まれる。また、フレキシブル基板５２が防塵部材４２の一部と光軸方向に重なり合うように配置形成することによって、防塵部材４２を避けてフレキシブル基板５２を配置する必要がなくなり、ベース部材３５を必要最小限の大きさとすることが可能となって、撮像装置全体の省スペース化を達成することができる。
以上、具体的な実施の形態につき説明したところをまとめて特徴的なところを作用効果を含めて説明する。
【００１９】
先ず、本発明に係る撮像装置は、
被写体光束を透過屈折し被写体光学像を結像する撮像光学系を保持収納する撮像レンズ鏡胴と、
前記撮像レンズ鏡胴を支持し、且つ前記撮像光学系を通った光束を導く開口部を有するベース部材と、
前記撮像光学系により結像される被写体光学像を光電変換する撮像素子と、
前記撮像素子の被写体側に配置される光学素子と、
前記ベース部材に支持され、且つ前記撮像素子および前記光学素子を保持する保持部材と、
前記ベース部材と前記保持部材との間を密閉する防塵部材と、
前記撮像レンズ鏡胴の駆動系および前記撮像素子に接続される電気的回路の少なくとも一部を形成するフレキシブル基板と
を備えてなり、
前記フレキシブル基板が、前記ベース部材の前記開口部の撮像素子側の面にほぼ沿い且つ該フレキシブル基板の少なくとも一部が前記防塵部材と光軸方向に重なり合って配置され、
前記防塵部材は、前記フレキシブル基板の被写体側で且つ前記ベース部材の開口部と前記フレキシブル基板との間に配置されていることを特徴としている（請求項１に対応する）。
【００２０】
このような構成とすることにより、
フレキシブル基板を避けて防塵部材を配置する必要なしに、ベース部材と保持部材との間を密閉して鏡胴内へのゴミ侵入を確実に防止して、撮像光学系を保持収納する撮像レンズ鏡胴と、撮像光学系により結像される被写体光学像を光電変換する撮像素子との間を防塵部材により密閉するとともに、撮像レンズ鏡胴を支持するベース部材と撮像素子との間を確実に密閉し、且つ防塵部材を脱落しないように保持可能で、しかも省スペース化を達成することができる。
また、本発明に係る撮像装置は、
前記防塵部材が、フランジ部および屈曲部を有してなり、前記フランジ部が前記ベース部材に当接し、且つ前記屈曲部が前記保持部材に当接していることが望ましい（請求項２に対応する）。
このような構成とすることにより、撮像光学系を支持するベース部材と、撮像素子と光学素子を保持する保持部材との間を確実に密閉することができる。
また、本発明に係る撮像装置は、
被写体光束を透過屈折し被写体光学像を結像する撮像光学系を保持収納する撮像レンズ鏡胴と、
前記撮像レンズ鏡胴を支持し、且つ前記撮像光学系を通った光束を導く開口部を有するベース部材と、
前記撮像光学系により結像される被写体光学像を光電変換する撮像素子と、
前記撮像素子の被写体側に配置される光学素子と、
前記ベース部材に支持され、且つ前記撮像素子および前記光学素子を保持する
保持部材と、
前記ベース部材と前記保持部材との間を密閉する防塵部材と、
前記撮像レンズ鏡胴の駆動系および前記撮像素子に接続される電気的回路の少なくとも一部を形成するフレキシブル基板と
を備えてなり、
前記フレキシブル基板が、前記ベース部材の前記開口部の撮像素子側の面にほぼ沿い且つ該フレキシブル基板の少なくとも一部が前記防塵部材と光軸方向に重なり合って配置され、
前記防塵部材は、フランジ部および屈曲部を有してなり、前記フランジ部が前記ベース部材に当接し、且つ前記屈曲部が前記保持部材に当接していることを特徴としている（請求項３に対応する）。
このような構成とすることにより、
フレキシブル基板を避けて防塵部材を配置する必要なしに、ベース部材と保持部材との間を密閉して鏡胴内へのゴミ侵入を確実に防止して、撮像光学系を保持収納する撮像レンズ鏡胴と、撮像光学系により結像される被写体光学像を光電変換する撮像素子との間を防塵部材により密閉するとともに、撮像レンズ鏡胴を支持するベース部材と撮像素子との間を確実に密閉し、さらに、撮像光学系を支持するベース部材と撮像素子と光学素子を保持する保持部材との間を確実に密閉し、しかも省スペース化を達成することができる。
【００２１】
また、本発明に係る撮像装置における前記ベース部材には、前記防塵部材が当接する面に複数の溝が設けられており、これらの溝に前記防塵部材の前記フランジ部に設けられたリブ部が嵌まり込む構成とすることが望ましい（請求項４に対応する）。
このような構成とすることにより、防塵部材の脱落を防止して、より確実に防塵することが可能となる。
また、本発明に係る撮像装置における前記フレキシブル基板は、その少なくとも一部が前記ベース部材の前記開口部周縁の一部に沿って前記光束を取り囲むように配置されていることが望ましい（請求項５に対応する）。
このような構成とすることにより、フレキシブル基板を防塵部材から避けて配置する必要が無くなり、ベース部材を必要最小限の大きさとすることで、省スペース化を実現することが可能となる。
【符号の説明】
【００２２】
１１  第１レンズ群
１２  第２レンズ群
１３  第３レンズ群
１４  第４レンズ群
１５  第５レンズ群
１６  シャッタ／絞りユニット
１７  撮像素子
１８  ローパスフィルタ等の光学素子
２１  直進筒
２２  第２レンズ保持枠
２３  第３レンズ保持枠
２４  第４レンズ保持枠
２５  第５レンズ保持枠
３１  固定枠
３２  第１の回転筒
３３  第２の回転筒
３４  直進ライナー
３５  ベース部材
４１  保持部材
４２  防塵部材
４３  シール部材
５１  フォーカスモータ
５２  フレキシブル基板
５３  ズームモータ
５４  ギアボックス
５５  ズームモータフレキシブル基板
５６  鏡胴駆動フレキシブル基板
【先行技術文献】
【特許文献】
【００２３】
【特許文献１】特開２００８−１９３５７４号公報
【図１】
0005874960.tif 000002
【図２】
0005874960.tif 000003
【図３】
0005874960.tif 000004
【図４】
0005874960.tif 000005
【図５】
0005874960.tif 000006